(57)【要約】【課題】ジャックインターフェースを１つだけ搭載する場合に、そのジャックインターフェースに接続される複数種のオーディオ機器を判別する。【解決手段】Ｒ→Ｖ変換回路２０は、ジャックインターフェース１０に接続されたプラグのＬＥＦＴチャンネル、ＲＩＧＨＴチャンネル、およびＭＩＤＤＬＥチャンネルの各極のインピーダンスを、Ｖ−ＬＥＦＴ２０１、Ｖ−ＲＩＧＨＴ２０２、およびＶ−ＭＩＤＤＬＥ２０３の電圧値へ変換して出力する。比較回路３１は、Ｖ−ＬＥＦＴ２０１と基準電圧３０１とを比較して比較結果３１１を出力し、比較回路３２は、Ｖ−ＲＩＧＨＴ２０２と基準電圧３０１とを比較して比較結果３１２を出力し、比較回路３３は、Ｖ−ＭＩＤＤＬＥ２０３と基準電圧３０１とを比較して比較結果３１３を出力する。制御部４１，５１は、比較結果３１１〜３１３に基づいてジャックインターフェース１０に接続されたオーディオ機器の種別を判定する。【選択図】図１
2007180742.tif 000002
【特許請求の範囲】
【請求項１】
オーディオ機器が接続されるジャックインターフェースを備える携帯端末において、
前記ジャックインターフェースに接続されたオーディオ機器のプラグのＬＥＦＴチャンネル、ＲＩＧＨＴチャンネル、およびＭＩＤＤＬＥチャンネルの各極のインピーダンスを電圧値へ変換して出力する変換手段と、
前記変換手段から出力された電圧値のうち前記プラグのＬＥＦＴチャンネルの極のインピーダンスが変換された電圧値を基準電圧と比較し、該比較結果を出力する第１の比較手段と、
前記変換手段から出力された電圧値のうち前記プラグのＲＩＧＨＴチャンネルの極のインピーダンスが変換された電圧値を基準電圧と比較し、該比較結果を出力する第２の比較手段と、
前記変換手段から出力された電圧値のうち前記プラグのＭＩＤＤＬＥチャンネルの極のインピーダンスが変換された電圧値を基準電圧と比較し、該比較結果を出力する第３の比較手段と、
前記第１から第３の比較手段からそれぞれ出力された比較結果の組み合わせに基づいて、前記ジャックインターフェースに接続されたオーディオ機器の種別を判別する制御手段とをさらに備える携帯端末。
【請求項２】
前記ジャックインターフェースを介して入出力されるＬＥＦＴチャンネル、ＲＩＧＨＴチャンネル、およびＭＩＤＤＬＥチャンネルの信号の圧縮符号化処理または伸長復号化処理を行うオーディオコーデックと、
前記オーディオコーデックと接続されるＣＰＵとをさらに備え、
前記制御手段は、前記オーディオコーデックの内部に設けられており、前記ＣＰＵに対して割り込み信号を出力することで、前記判別されたオーディオ機器の種別に応じた前記オーディオコーデックの設定値を前記ＣＰＵから取得する、請求項１に記載の携帯端末。
【請求項３】
前記ジャックインターフェースと前記オーディオコーデックとの間に設けられ、前記オーディオコーデックに入力される入力信号および前記オーディオコーデックから出力される出力信号の切り替えを行う入出力セレクタ手段とをさらに備え、
前記制御手段は、前記入出力セレクタ手段の内部にも設けられており、前記判別されたオーディオ機器の種別に応じて、前記ジャックインターフェースを介して入出力されるＬＥＦＴチャンネル、ＲＩＧＨＴチャンネル、およびＭＩＤＤＬＥチャンネルの信号の信号線を、前記オーディオコーデックの前記入力信号または前記出力信号の信号線のいずれかに接続する、請求項２に記載の携帯端末。
【請求項４】
前記ジャックインターフェースには、ヘッドホン、イヤホンマイク、ステレオマイク、または２入力型イヤホンマイクのいずれかが接続される、請求項１から３のいずれか１項に記載の携帯端末。
【請求項５】
オーディオ機器が接続されるジャックインターフェースを備える携帯端末において前記ジャックインターフェースに接続されたオーディオ機器の種別を判別するオーディオ機器判別方法であって、
前記ジャックインターフェースに接続されたオーディオ機器のプラグのＬＥＦＴチャンネル、ＲＩＧＨＴチャンネル、およびＭＩＤＤＬＥチャンネルの各極のインピーダンスを電圧値へ変換する変換ステップと、
前記変換された電圧値のうち前記プラグのＬＥＦＴチャンネルの極のインピーダンスが変換された電圧値を基準電圧と比較する第１の比較ステップと、
前記変換された電圧値のうち前記プラグのＲＩＧＨＴチャンネルの極のインピーダンスが変換された電圧値を基準電圧と比較する第２の比較ステップと、
前記変換された電圧値のうち前記プラグのＭＩＤＤＬＥチャンネルの極のインピーダンスが変換された電圧値を基準電圧と比較する第３の比較ステップと、
前記第１から第３の比較ステップのそれぞれの比較結果の組み合わせに基づいて、前記ジャックインターフェースに接続されたオーディオ機器の種別を判別する判別ステップとを有するオーディオ機器判別方法。
【請求項６】
前記ジャックインターフェースには、ヘッドホン、イヤホンマイク、ステレオマイク、または２入力型イヤホンマイクのいずれかが接続される、請求項５に記載のオーディオ機器判別方法。
【発明の詳細な説明】
【技術分野】
【０００１】
本発明は、オーディオ機器が接続されるジャックインターフェースを備える携帯端末、携帯端末におけるオーディオ機器の判別方法に関する。
【背景技術】
【０００２】
従来、ノート型ＰＣ（Personal Computer）、ＰＤＡ（Personal Digital Assistant）などの携帯端末には、外付けのヘッドホンやマイクなどのオーディオ機器が接続されるジャックインターフェースが備えられている。
【０００３】
例えば、ノート型ＰＣなどの物理的サイズが比較的大きな携帯端末は、複数のジャックインターフェースを搭載することが可能である。
【０００４】
その一方、ＰＤＡなどの小型の携帯端末は、複数のジャックインターフェースを搭載することが物理的に困難であるため、一般的に、ジャックインターフェースを１つだけ搭載し、１つのオーディオ機器にのみ適応する構成になっている。
【０００５】
ところが、近年、マルチメディア機能やソリューションシステムの進歩に伴い、小型の携帯端末であっても、複数種のオーディオ機器に適応する必要性が生じてきている。
【０００６】
そのため、最近は、ジャックインターフェースを１つだけ搭載することで小型化を維持しつつ、そのジャックインターフェースに接続されたオーディオ機器の種別を判別することで複数種のオーディオ機器に適応する技術が検討されている。
【０００７】
その一例として、特許文献１には、ジャックインターフェースに接続されたオーディオ機器のプラグが、４極タイプのＡＶプラグまたは３極タイプのヘッドホンプラグのどちらであるかを判別する技術が開示されている。
【特許文献１】特開平１１−１６２５７４号公報
【発明の開示】
【発明が解決しようとする課題】
【０００８】
上述したように、特許文献１に開示された従来技術は、オーディオ機器が４極タイプまたは３極タイプのどちらのプラグを備えるのかを判別することができる。
【０００９】
しかし、３極タイプのプラグを備えるオーディオ機器には、ヘッドホン、イヤホンマイク、ステレオマイクといった多くの種類があるため、これらオーディオ機器を厳密に判別することはできない。
【００１０】
そのため、特許文献１に開示された従来技術では、小型化を維持しつつ、複数種のオーディオ機器に適応するというニーズに十分に対応できてはいない。
【００１１】
そこで、本発明の目的は、小型化を維持するためにジャックインターフェースを１つだけ搭載する場合にも、ジャックインターフェースに接続される複数種のオーディオ機器を判別することができる携帯端末、携帯端末におけるオーディオ機器の判別方法を提供することにある。
【課題を解決するための手段】
【００１２】
上記目的を達成するために本発明は、
オーディオ機器が接続されるジャックインターフェースを備える携帯端末において、
前記ジャックインターフェースに接続されたオーディオ機器のプラグのＬＥＦＴチャンネル、ＲＩＧＨＴチャンネル、およびＭＩＤＤＬＥチャンネルの各極のインピーダンスを電圧値へ変換して出力する変換手段と、
前記変換手段から出力された電圧値のうち前記プラグのＬＥＦＴチャンネルの極のインピーダンスが変換された電圧値を基準電圧と比較し、該比較結果を出力する第１の比較手段と、
前記変換手段から出力された電圧値のうち前記プラグのＲＩＧＨＴチャンネルの極のインピーダンスが変換された電圧値を基準電圧と比較し、該比較結果を出力する第２の比較手段と、
前記変換手段から出力された電圧値のうち前記プラグのＭＩＤＤＬＥチャンネルの極のインピーダンスが変換された電圧値を基準電圧と比較し、該比較結果を出力する第３の比較手段と、
前記第１から第３の比較手段からそれぞれ出力された比較結果の組み合わせに基づいて、前記ジャックインターフェースに接続されたオーディオ機器の種別を判別する制御手段とをさらに備えることを特徴とする。
【００１３】
この構成によれば、ジャックインターフェースに接続されたプラグのＬＥＦＴチャンネル、ＲＩＧＨＴチャンネル、およびＭＩＤＤＬＥチャンネルの各極のインピーダンスを電圧値に変換し、これを基準電圧と比較することで得られた３つの比較結果の組み合わせに応じてジャックインターフェースに接続されたオーディオ機器の種別を判別している。
【００１４】
それにより、ジャックインターフェースに接続された複数種のオーディオ機器（例えば、ヘッドホン、イヤホンマイク、ステレオマイク、または２入力型イヤホンマイク）を判別することができる。
【００１５】
また、前記ジャックインターフェースを介して入出力されるＬＥＦＴチャンネル、ＲＩＧＨＴチャンネル、およびＭＩＤＤＬＥチャンネルの信号の圧縮符号化処理または伸長復号化処理を行うオーディオコーデックと、
前記オーディオコーデックと接続されるＣＰＵとをさらに備え、
前記制御手段は、前記オーディオコーデックの内部に設けられており、前記ＣＰＵに対して割り込み信号を出力することで、前記判別されたオーディオ機器の種別に応じた前記オーディオコーデックの設定値を前記ＣＰＵから取得することとしても良い。
【００１６】
この構成によれば、ジャックインターフェースに接続されたオーディオ機器の種別に応じて、オーディオコーデックを最適な設定値（出力ボリューム、入力ゲインなど）で動作させることができる。
【００１７】
また、前記ジャックインターフェースと前記オーディオコーデックとの間に設けられ、前記オーディオコーデックに入力される入力信号および前記オーディオコーデックから出力される出力信号の切り替えを行う入出力セレクタ手段とをさらに備え、
前記制御手段は、前記入出力セレクタ手段の内部にも設けられており、前記判別されたオーディオ機器の種別に応じて、前記ジャックインターフェースを介して入出力されるＬＥＦＴチャンネル、ＲＩＧＨＴチャンネル、およびＭＩＤＤＬＥチャンネルの信号の信号線を、前記オーディオコーデックの前記入力信号または前記出力信号の信号線のいずれかに接続しても良い。
【００１８】
この構成によれば、ジャックインターフェースに接続されたオーディオ機器の種別に応じて、ジャックインターフェースの入出力を最適に切り替えることができる。
【発明の効果】
【００１９】
以上説明したように本発明によれば、ジャックインターフェースに接続されたオーディオ機器のプラグのＬＥＦＴチャンネル、ＲＩＧＨＴチャンネル、およびＭＩＤＤＬＥチャンネルの各極のインピーダンスを電圧値に変換し、これを基準電圧と比較することで得られた３つの比較結果の組み合わせに応じて、ジャックインターフェースに接続されたオーディオ機器の種別を判別しているため、複数種のオーディオ機器を自動で判別することができるという効果が得られる。
【発明を実施するための最良の形態】
【００２０】
以下に、本発明を実施するための最良の形態について図面を参照して説明する。
【００２１】
図１は、本発明の一実施形態による携帯端末の構成を示すブロック図である。
【００２２】
図１を参照すると、本実施形態による携帯端末は、ジャックインターフェース１０と、Ｒ→Ｖ変換回路２０と、比較回路３１〜３３と、制御部４１を含む入出力セレクタ回路４０と、制御部５１を含むオーディオＣＯＤＥＣ（コーデック）５０と、ＣＰＵ６０とを有する。
【００２３】
ジャックインターフェース１０は、オーディオ機器のプラグとして、一般的な３極タイプの他、４極タイプのプラグが接続される。
【００２４】
図２は、ヘッドホン、イヤホンマイク、ステレオマイク、および２入力型イヤホンマイクの各オーディオ機器ごとに、プラグのＬＥＦＴ／ＲＩＧＨＴ／ＭＩＤＤＬＥチャンネルの機能とＬＥＦＴ／ＲＩＧＨＴ／ＭＩＤＤＬＥチャンネルの各極のインピーダンスとを示す図である。
【００２５】
４極タイプのプラグの各極は、ＬＥＦＴチャンネル、ＲＩＧＨＴチャンネル、ＭＩＤＤＬＥチャンネル、およびＧＮＤに対応している。図２に示すように、２入力型イヤホンマイク（例えば、２入力マイク対応型ヘッドセットなど）は、ＬＥＦＴ／ＭＩＤＤＬＥチャンネルがマイク入力のためのチャンネル、ＲＩＧＨＴチャンネルがスピーカー出力のためのチャンネルとなっている。
【００２６】
また、３極タイプのプラグの各極は、ＬＥＦＴチャンネル、ＲＩＧＨＴチャンネル、およびＧＮＤに対応している。図２に示すように、ヘッドホンは、ＬＥＦＴ／ＲＩＧＨＴチャンネルが共にスピーカー出力のためのチャンネルとなっており、イヤホンマイクは、ＬＥＦＴチャンネルがマイク入力のためのチャンネル、ＲＩＧＨＴチャンネルがスピーカー出力のためのチャンネルとなっており、ステレオマイクは、ＬＥＦＴ／ＲＩＧＨＴチャンネルが共にマイク入力のためのチャンネルとなっている。
【００２７】
ジャックインターフェース１０は、オーディオ機器のプラグが接続された場合に、そのプラグのＬＥＦＴチャンネルのＬＥＦＴ信号１０１、ＲＩＧＨＴチャンネルのＲＩＧＨＴ信号１０２、およびＭＩＤＤＬＥチャンネルのＭＩＤＤＬＥ信号１０３を入力または出力するとともに、オーディオ機器のプラグが接続された場合にその旨を表すプラグ認識信号１０４を出力する。
【００２８】
Ｒ→Ｖ変換回路２０は、ジャックインターフェース１０に接続されたプラグのＬＥＦＴチャンネル、ＲＩＧＨＴチャンネル、およびＭＩＤＤＬＥチャンネルの各極に電圧を印加して各極のインピーダンスを測定し、各極のインピーダンスをＶ−ＬＥＦＴ２０１、Ｖ−ＲＩＧＨＴ２０２、およびＶ−ＭＩＤＤＬＥ２０３の電圧値へ変換する。
【００２９】
比較回路３１は、Ｖ−ＬＥＦＴ２０１と基準電圧３０１とを比較してその比較結果３１１を出力し、また、比較回路３２は、Ｖ−ＲＩＧＨＴ２０２と基準電圧３０１とを比較してその比較結果３１２を出力し、また、比較回路３３は、Ｖ−ＭＩＤＤＬＥ２０３と基準電圧３０１とを比較してその比較結果３１３を出力する。
【００３０】
入出力セレクタ回路４０は、ジャックインターフェース１０とオーディオＣＯＤＥＣ５０との間に設けられ、オーディオＣＯＤＥＣ５０に入力される入力信号およびオーディオＣＯＤＥＣ５０から出力される出力信号の切り替えを行う。
【００３１】
入出力セレクタ回路４０の制御部４１は、ジャックインターフェース１０からプラグ認識信号１０４が入力されると共に、比較回路３１〜３３から比較結果３１１〜３１３が入力される。そして、制御部４１は、比較結果３１１〜３１３に基づいて、ジャックインターフェース１０に接続されたオーディオ機器の種別を判定する。さらに、制御部４１は、上記で判定したオーディオ機器の種別に応じて、ジャックインターフェース１０のＬＥＦＴ信号１０１、ＲＩＧＨＴ信号１０２、およびＭＩＤＤＬＥ信号１０３の各々の信号線を、オーディオＣＯＤＥＣ５０へ入力される入力信号の信号線またはオーディオＣＯＤＥＣ５０から出力される出力信号の信号線のいずれかに接続する。
【００３２】
オーディオＣＯＤＥＣ５０は、ジャックインターフェース１０を介して入出力されるＬＥＦＴチャンネル、ＲＩＧＨＴチャンネル、およびＭＩＤＤＬＥチャンネルの信号の圧縮符号化処理または伸長復号化処理を行う。
【００３３】
オーディオＣＯＤＥＣ５０の制御部５１は、ジャックインターフェース１０からプラグ認識信号１０４が入力されると共に、比較回路３１〜３３から比較結果３１１〜３１３が入力される。そして、制御部５１は、比較結果３１１〜３１３に基づいて、ジャックインターフェース１０に接続されたオーディオ機器の種別を判定する。さらに、制御部５１は、オーディオ機器の種別に適したソフトウェアの設定値（出力ボリューム、入力ゲインなど）を取得するために、ＣＰＵ６０に割り込み信号６０１を出力する。この割込み信号６０１には、判別したオーディオ機器の種別の情報が含まれる。
【００３４】
ＣＰＵ６０は、制御部５１から割り込み信号６０１が入力されると、オーディオ機器の種別に適したオーディオＣＯＤＥＣ５０のソフトウェアの最適な設定値を制御部５１に通知する。
【００３５】
制御部５１は、ＣＰＵ６０から通知された設定値をオーディオＣＯＤＥＣ５０に設定し、また、オーディオＣＯＤＥＣ５０の不図示の圧縮符号化手段および伸長復号化手段は、制御部５１により設定された設定値にしたがって、出力信号の圧縮符号化処理および入力信号の伸長復号化処理をそれぞれ行う。
【００３６】
以下、本実施形態による携帯端末の動作について説明する。
【００３７】
図３Ａは、ジャックインターフェース１０に４極タイプのプラグが接続された状態を示し、また、図３Ｂは、ジャックインターフェース１０に３極タイプのプラグが接続された状態を示している。
【００３８】
オーディオ機器のプラグは、図３Ａまたは図３Ｂに示すようにジャックインターフェース１０に接続される。
【００３９】
Ｒ→Ｖ変換回路２０は、ジャックインターフェース１０に接続されたプラグのＬＥＦＴチャンネル、ＲＩＧＨＴチャンネル、およびＭＩＤＤＬＥチャンネルの各極に電圧を印加して各極のインピーダンスを測定し、各極のインピーダンスをＶ−ＬＥＦＴ２０１、Ｖ−ＲＩＧＨＴ２０２、およびＶ−ＭＩＤＤＬＥ２０３の電圧値へ変換して出力する。
【００４０】
例えば、図３Ａに示すように、ジャックインターフェース１０に２入力マイク対応型ヘッドセットの４極タイプのプラグが接続された場合、ＬＥＦＴチャンネルの極のインピーダンスは、ＬＥＦＴチャンネル−ＧＮＤ間の抵抗Ｒ１として測定でき、図２に示すように約１０ｋΩ以上となる。同様に、ＲＩＧＨＴチャンネルの極のインピーダンスは、ＲＩＧＨＴチャンネル−ＧＮＤ間の抵抗Ｒ２として測定でき、図２に示すように約８〜１５０Ωとなり、また、ＭＩＤＤＬＥチャンネルの極のインピーダンスは、ＭＩＤＤＬＥチャンネル−ＧＮＤ間の抵抗Ｒ３として測定でき、図２に示すように約１０ｋΩ以上となる。
【００４１】
また、図３Ｂに示すように、ジャックインターフェース１０にヘッドホンの３極タイプのプラグが接続された場合、ＬＥＦＴチャンネルの極のインピーダンスは、抵抗Ｒ１として測定でき、図２に示すように約８〜１５０Ωとなり、また、ＲＩＧＨＴチャンネルの極のインピーダンスは、抵抗Ｒ２として測定でき、図２に示すように約８〜１５０Ωとなる。ただし、３極タイプのプラグはＭＩＤＤＬＥチャンネルに対応していないため、ＭＩＤＤＬＥチャンネルの極のインピーダンスは０Ω（ＧＮＤ）となる。なお、ジャックインターフェース１０にイヤホンマイクまたはステレオタイプの３極タイプのプラグが接続された場合も、プラグの各極のインピーダンスは上記と同様に測定でき、図２のような値となる。
【００４２】
図４は、比較回路３１〜３３の動作を説明するための図である。
【００４３】
Ｒ→Ｖ変換回路２０から出力されたＶ−ＬＥＦＴ２０１、Ｖ−ＲＩＧＨＴ２０２、およびＶ−ＭＩＤＤＬＥ２０３の各々は、図４に示すように、比較回路３１、比較回路３２、および比較回路３３に入力される。
【００４４】
比較回路３１、比較回路３２、および比較回路３３の各々は、Ｖ−ＬＥＦＴ２０１、Ｖ−ＲＩＧＨＴ２０２、およびＶ−ＭＩＤＤＬＥ２０３を基準電圧３０１と比較し、その比較結果３１１、比較結果３１２、および比較結果３１３を出力する。
【００４５】
このとき、比較結果３１１〜３１３は、Ｖ−ＬＥＦＴ２０１、Ｖ−ＲＩＧＨＴ２０２、およびＶ−ＭＩＤＤＬＥ２０３の値に応じて異なる。そのため、入出力セレクタ回路４０の制御部４１およびオーディオＣＯＤＥＣ５０の制御部５１は、比較結果３１１〜３１３の組み合わせに応じて、ジャックインターフェース１０に接続されたオーディオ機器がヘッドホン、イヤホンマイク、ステレオマイク、または２入力型イヤホンマイクのいずれであるか判別する。
【００４６】
以下、比較回路３１〜３３の比較動作と制御部４１，５１の判定動作について、図５のフローチャートを参照して説明する。
【００４７】
図５は、比較回路３１〜３３の比較動作と制御部４１，５１の判定動作を説明するためのフローチャートである。
【００４８】
まず、ステップ５０１では、比較回路３１〜３３に、Ｒ→Ｖ変換回路２０から出力されたＶ−ＬＥＦＴ２０１、Ｖ−ＲＩＧＨＴ２０２、およびＶ−ＭＩＤＤＬＥ２０３の各々が入力される。次に、ステップ５０２では、比較回路３１〜３３の各々は、Ｖ−ＬＥＦＴ２０１、Ｖ−ＲＩＧＨＴ２０２、およびＶ−ＭＩＤＤＬＥ２０３を基準電圧３０１と比較し、基準電圧３０１よりも低ければステップ５０３を、基準電圧３０１以上であればステップ５０４を実行する。比較回路３１〜３３の各々から出力される比較結果３１１〜３１３は、ステップ５０３では「Ｌｏｗ」になり、ステップ５０４では「Ｈｉｇｈ」になる。
【００４９】
以降、制御部４１，５１は、比較結果３１１〜３１３の組み合わせに応じて、ジャックインターフェース１０に接続されているオーディオ機器の種別を判定する。
【００５０】
まず、ステップ５０５では、制御部４１，５１は、比較回路３３から出力された比較結果３１３を判定する。例えば、制御部４１，５１は、比較結果３１３が「Ｌｏｗ」であればステップ５０６を実行する。また、制御部４１，５１は、比較結果３１３が「Ｈｉｇｈ」であればステップ５１０を実行して２入力型イヤホンマイクと判定する。
【００５１】
次に、ステップ５０６では、制御部４１，５１は、比較回路３１，３２から出力された比較結果３１１，３１２の組み合わせを判定する。例えば、制御部４１，５１は、比較結果３１１が「Ｈｉｇｈ」で比較結果３１２が「Ｌｏｗ」であればステップ５０７を実行してイヤホンマイクと判定する。また、制御部４１，５１は、比較結果３１１，３１２がいずれも「Ｌｏｗ」であればステップ５０８を実行してヘッドホンと判定する。また、制御部４１，５１は、比較結果３１１，３１２がいずれも「Ｈｉｇｈ」であればステップ５０９を実行してステレオマイクと判定する。
【００５２】
図６は、入出力セレクタ回路４０の動作を説明するための図である。
【００５３】
図６に示すように、入出力セレクタ回路４０は、制御部４１の他、ＬＥＦＴ信号１０１の出力スイッチであるスイッチＳＷ−Ａ４２１と、ＬＥＦＴ信号１０１の入力スイッチであるスイッチＳＷ−Ｂ４２２と、ＲＩＧＨＴ信号１０２の出力スイッチであるスイッチＳＷ−Ｃ４２３と、ＲＩＧＨＴ信号１０２の入力スイッチであるスイッチＳＷ−Ｄ４２４と、ＭＩＤＤＬＥ信号１０３の出力スイッチであるスイッチＳＷ−Ｅ４２５と、ＭＩＤＤＬＥ信号１０３の入力スイッチであるスイッチＳＷ−Ｆ４２６とを有する。
【００５４】
制御部４１は、オーディオ機器が未接続の際の回路誤動作を防止するためにプラグ認識信号１０４が入力される。
【００５５】
また、制御部４１は、比較回路３１〜３３の各々から出力された比較結果３１１〜３１３が入力され、その比較結果３１１〜３１３の組み合わせに応じて、ジャックインターフェース１０に接続されているオーディオ機器の種別を判別する。
【００５６】
さらに、制御部４１は、ジャックインターフェース１０に接続されているオーディオ機器の種別を判別すると、判別されたオーディオ機器の種別に応じて上記の各スイッチを切り替える。
【００５７】
例えば、制御部４１は、４極プラグの２入力型イヤホンマイクと判別した場合は、図６に示すように、ＳＷ−Ｂ４２２、ＳＷ−Ｃ４２３、およびＳＷ−Ｆ４２６をＯＮ状態とする。また、制御部４１は、ヘッドホンと判別した場合は、ＳＷ−Ａ４２１およびＳＷ−Ｃ４２３をＯＮ状態とし、また、イヤホンマイクと判別した場合は、ＳＷ−Ｂ４２２およびＳＷ−Ｃ４２３をＯＮ状態とし、また、ステレオマイクと判別した場合は、ＳＷ−Ｂ４２２およびＳＷ−Ｄ４２４をＯＮ状態とする。
【００５８】
これにより、ジャックインターフェース１０のＬＥＦＴ信号１０１、ＲＩＧＨＴ信号１０２、およびＭＩＤＤＬＥ信号１０３の信号線は、オーディオ機器の種別に応じて、オーディオＣＯＤＥＣ５０の出力信号または入力信号のうち適切な信号線と接続されることになる。
【００５９】
図７は、オーディオＣＯＤＥＣ５０およびＣＰＵ６０の動作を説明するための図である。
【００６０】
図７に示すように、制御部５１は、オーディオ機器が未接続の際の回路誤動作を防止するためにプラグ認識信号１０４が入力される。
【００６１】
また、制御部５１は、比較回路３１〜３３の各々から出力された比較結果３１１〜３１３が入力され、その比較結果３１１〜３１３の組み合わせに応じて、ジャックインターフェース１０に接続されているオーディオ機器の種別を判別する。
【００６２】
さらに、制御部５１は、プラグ認識信号１０４によりオーディオ機器が接続状態であることを認識した上で、ジャックインターフェース１０に接続されているオーディオ機器の種別を判別すると、ＣＰＵ６０に対して割込み信号６０１を出力する。この割込み信号６０１には、制御部５１にて判別したオーディオ機器の種別の情報が含まれる。
【００６３】
ＣＰＵ６０は、制御部５１から割込み信号６０１が出力されると、ジャックインターフェース１０に接続されたオーディオ機器の種別に応じて、オーディオＣＯＤＥＣ５０のソフトウェアの適切な設定値（出力ボリューム、入力ゲインなど）を制御部５１に通知する。
【００６４】
上述したように本実施形態では、ジャックインターフェース１０に接続されたプラグのＬＥＦＴチャンネル、ＲＩＧＨＴチャンネル、およびＭＩＤＤＬＥチャンネルの各極のインピーダンスを電圧値へ変換し、それぞれの電圧値を基準電圧と比較することで３つの比較結果を得て、３つの比較結果の組み合わせに応じてジャックインターフェース１０に接続されたオーディオ機器の種別を判別している。
【００６５】
このように、オーディオ機器の一般的な３極タイプのプラグが対応しているＬＥＦＴチャンネルおよびＲＩＧＨＴチャンネルだけでなく、４極タイプのプラグが対応しているＭＩＤＤＬＥチャンネルも利用してオーディオ機器の種別を判別するため、３極タイプおよび４極タイプの双方のプラグに適応することが可能となる。
【００６６】
また、３つの比較結果の組み合わせに応じてオーディオ機器の種別を判別するため、ヘッドホン、イヤホンマイク、ステレオマイク、２入力型イヤホンマイクといった複数種のオーディオ機器を判別することが可能となる。
【００６７】
したがって、小型化された携帯端末であっても、物理的なサイズを小型のまま維持しつつ、十分なオーディオ機能を提供することが可能となる。
【００６８】
また、ジャックインターフェース１０に接続されたオーディオ機器の種別の判定とその種別に応じたオーディオＣＯＤＥＣ５０の設定は自動で行われるため、利用者が手動でオーディオＣＯＤＥＣ５０の設定を切り替える必要がない。また、ジャックインターフェース１０へのオーディオ機器の誤挿入の防止に役立ち、故障率の軽減にも役立つ。
【００６９】
なお、本実施形態では、自動判別されるオーディオ機器の種別をヘッドホン、イヤホンマイク、ステレオマイク、および２入力型イヤホンマイクとした。しかし、本発明では、これらの代表的なオーディオ機器に限らず、マイク入力機能およびスピーカー出力機能を備えるこれら以外のオーディオ機器であっても適応可能である。
【００７０】
また、比較回路３１〜３３が反転入力方式または非反転入力方式のどちらであるかに応じて、比較回路３１〜３３の出力レベルが異なる。しかし、いずれの場合であっても、入出力セレクタ回路４０の制御部４１およびオーディオＣＯＤＥＣ５０の制御部５１異なる出力レベルに対応するよう論理設計されていれば、本発明の動作に影響することはない。
【図面の簡単な説明】
【００７１】
【図１】本発明の一実施形態による携帯端末の構成を示すブロック図である。
【図２】ヘッドホン、イヤホンマイク、ステレオマイク、および２入力型イヤホンマイクの各オーディオ機器ごとに、プラグのＬＥＦＴ／ＲＩＧＨＴ／ＭＩＤＤＬＥチャンネルの機能とＬＥＦＴ／ＲＩＧＨＴ／ＭＩＤＤＬＥチャンネルの各極のインピーダンスとを示す図である。
【図３Ａ】図１に示したジャックインターフェースに４極タイプのプラグが接続された状態を示す図である。
【図３Ｂ】図１に示したジャックインターフェースに３極タイプのプラグが接続された状態を示す図である。
【図４】図１に示した比較回路の動作を説明するための図である。
【図５】図１に示した比較回路の比較動作と制御部の判別動作を説明するためのフローチャートである。
【図６】図１に示した入出力セレクタ回路の動作を説明するための図である。
【図７】図１に示したオーディオＣＯＤＥＣおよびＣＰＵの動作を説明するための図である。
【符号の説明】
【００７２】
１０    ジャックインターフェース
２０    Ｒ→Ｖ変換回路
３１〜３３    比較回路
４０    入出力セレクタ回路
４１    制御部
５０    オーディオＣＯＤＥＣ
５１    制御部
６０    ＣＰＵ
１０１    ＬＥＦＴ信号
１０２    ＲＩＧＨＴ信号
１０３    ＭＩＤＤＬＥ信号
１０４    プラグ認識信号
２０１    Ｖ−ＬＥＦＴ
２０２    Ｖ−ＲＩＧＨＴ
２０３    Ｖ−ＭＩＤＤＬＥ
３０１    基準電圧
３１１〜３１３    比較結果
６０１    割り込み信号
【図１】
2007180742.tif 000003
【図２】
2007180742.tif 000004
【図３Ａ】
2007180742.tif 000005
【図３Ｂ】
2007180742.tif 000006
【図４】
2007180742.tif 000007
【図５】
2007180742.tif 000008
【図６】
2007180742.tif 000009
【図７】
2007180742.tif 000010